(57)【要約】  コンテナを有する可撓性おむつペールは、直立するように適合されている。コンテナは、可撓性シート、カバー、ベース、フラップ、および、臭気防壁を有していてもよい。カバーは、可撓性シートの第１の上端に取り付けられてもよい一方で、ベースは、可撓性シートの第２の下端に取り付けられてもよい。カバーは、カバーに枢動可能に取り付けらえているフラップを有していてもよく、フラップは、開ポジションと閉ポジションとの間で枢動するように適合されている。カバーは、開口と開口に配置されている臭気防壁とをさらに有していてもよい。【選択図】図１
2021506347.tif 000002
【特許請求の範囲】
【請求項１】
可撓性おむつペールであって、
コンテナを備え、
前記コンテナは、
第１の上端と第２の下端とを有する可撓性シートと、
前記可撓性シートの前記第１の上端に取り付けられているカバーと、前記カバーは開口を有し、
前記可撓性シートの前記第２の下端に取り付けられているベースと、
前記カバーに枢動可能に取り付けられ、開ポジションに、および、閉ポジションに枢動するように適合されているフラップと、
前記開口に配置されている臭気防壁とを備え、
前記コンテナは、直立するように適合されている、可撓性おむつペール。
【請求項２】
前記開ポジションは、排泄物を収容するように適合され、前記閉ポジションは、臭気を密封するように適合されている、請求項１に記載の可撓性おむつペール。
【請求項３】
前記フラップは、少なくとも１つの突起をさらに有する、請求項１に記載の可撓性おむつペール。
【請求項４】
前記少なくとも１つの突起は、可撓性フラップが開いたままになるように、前記開ポジションで前記フラップを固定する、請求項３に記載の可撓性おむつペール。
【請求項５】
前記コンテナは、６．３５ｍｍ（１／４インチ）の高さに圧縮するように適合されている、請求項１に記載の可撓性おむつペール。
【請求項６】
前記コンテナは、４５７．２ｍｍ（１８インチ）の高さに伸張するように適合されている、請求項１に記載の可撓性おむつペール。
【請求項７】
前記コンテナは、圧縮および伸張するように適合されている、請求項１に記載の可撓性おむつペール。
【請求項８】
前記コンテナは、６．３５ｍｍ（１／４インチ）の高さと４５７．２ｍｍ（１８インチ）の高さとの間で圧縮および伸張するように適合されている、請求項１に記載の可撓性おむつペール。
【請求項９】
前記カバーは、リップを有し、前記リップは、前記可撓性シートの前記第１の上端に結合される、請求項１に記載の可撓性おむつペール。
【請求項１０】
可撓性おむつペールであって、
コンテナを備え、
前記コンテナは、
第１の上端と第２の下端とを有する可撓性シートと、
前記可撓性シートの前記第１の上端に取り付けられているカバーと、前記カバーは開口を有し、
前記可撓性シートの前記第２の下端に取り付けられているベースと、
前記カバーに枢動可能に取り付けられ、排泄物を収容するための開ポジション、および、臭気を密閉するための閉ポジションの間で枢動するように適合されている可撓性フラップと、
前記開口に配置されている臭気防壁とを備え、
前記コンテナは、直立するように適合されている、可撓性おむつペール。
【請求項１１】
前記可撓性フラップは、少なくとも１つの突起を有する、請求項１０に記載の可撓性おむつペール。
【請求項１２】
前記少なくとも１つの突起は、前記可撓性フラップを前記開ポジションに固定するように、安定性を前記可撓性フラップに提供する、請求項１１に記載の可撓性おむつペール。
【請求項１３】
前記コンテナは、６．３５ｍｍ（１／４インチ）の高さに圧縮するように適合されている、請求項１０に記載の可撓性おむつペール。
【請求項１４】
前記コンテナは、４５７．２ｍｍ（１８インチ）の高さに伸張するように適合されている、請求項１０に記載の可撓性おむつペール。
【請求項１５】
前記コンテナは、圧縮および伸張するように適合されている、請求項１０に記載の可撓性おむつペール。
【請求項１６】
前記コンテナは、６．３５ｍｍ（１／４インチ）の高さと４５７．２ｍｍ（１８インチ）の高さとの間で圧縮および伸張するように適合されている、請求項１０に記載の可撓性おむつペール。
【請求項１７】
前記カバーは、リップを有し、前記リップは、前記可撓性シートの前記第１の上端に結合される、請求項１０に記載の可撓性おむつペール。
【請求項１８】
可撓性おむつペールであって、
コンテナを備え、
前記コンテナは、
第１の上端と第２の下端とを有する可撓性シートと、前記可撓性シートは、圧縮および伸張するように適合され、
開口とリップを有するカバーと、前記リップは、前記可撓性シートの前記第１の上端に結合され、
前記可撓性シートの前記第２の下端に取り付けられているベースと、
前記カバーに枢動可能に取り付けられ、排泄物を収容するための開ポジション、および、臭気を密閉するための閉ポジションの間で枢動するように適合されている可撓性フラップと、
前記開口に配置されている臭気防壁とを備え、
前記コンテナは、直立するように適合されている、可撓性おむつペール。
【請求項１９】
前記可撓性フラップは、前記可撓性フラップが開いたままになるように、前記開ポジションで前記可撓性フラップに安定性を提供する少なくとも１つの突起を有する、請求項１７に記載の可撓性おむつペール。
【請求項２０】
前記コンテナは、６．３５ｍｍ（１／４インチ）の高さと４５７．２ｍｍ（１８インチ）の高さとの間で圧縮および伸張するように適合されている、請求項１７に記載の可撓性おむつペール。
【発明の詳細な説明】
【関連出願への相互参照】
【０００１】
[0001]  本願は、２０１８年６月２２日に出願され、「可撓性ペール」と題された米国仮特許出願シリアル番号第６２／６８８，７９５号、２０１８年２月９日に出願され、「可撓性ペール」と題された米国仮特許出願シリアル番号第６６２／６２８，７７１号、２０１７年１２月１２日に出願され、「可撓性ペール」と題された米国仮特許出願シリアル番号第６２／５９７，７８２号、の出願日の利益を組み込み、主張し、その全体は、参照によってここに組み込まれている。
【技術分野】
【０００２】
[0002]  主題の開示は、排泄物処理システムに関する。より具体的には、可撓性おむつペールが直立することを可能にするための頑丈な剛性を有する可撓性おむつペールに関する。
【背景】
【０００３】
[0003]  従来のおむつペールは、一般的に非可撓性であり、かさばり、固く、厄介である。さらに、これらのおむつペールは、コンパクトではなく、容易に持ち運びもできない。したがって、出先で容易におむつペールを携えるための、および／または、家全体で複数のコンパクトおむつペールを有するための、代替的解決法がほしい親に対する必要性が生じる。
【概要】
【０００４】
[0004]  コンテナを有する可撓性おむつペールは、直立するように適合されている。コンテナは、可撓性シート、カバー、ベース、フラップ、および、臭気防壁を有していてもよい。カバーは、可撓性シートの第１の上端に取り付けられてもよい一方で、ベースは、可撓性シートの第２の下端に取り付けられてもよい。カバーは、カバーに枢動可能に取り付けらえているフラップを有していてもよく、フラップは、開ポジションと閉ポジションとの間で枢動するように適合されている。カバーは、開口と開口中に配置されている臭気防壁とをさらに有していてもよい。可撓性おむつペールは、非常に小さな容積に圧縮し、大きなコンテナに伸長するように適合されている。
【図面の簡単な説明】
【０００５】
[0005]  本開示のさまざまな例示的な実施形態が、以下の図面を参照して詳細に説明され、同じ参照番号は、同一もしくは同様の構成要素またはステップを指す。
【図１】[0006]  図１は、主題の開示にしたがった、閉じた構成の可撓性ペールの上面斜視図を図示している。
【図２】[0007]  図２は、開構成の可撓性ペールの上面斜視図である。
【図３】[0008]  図３は、可撓性ペールの分解図である。
【図４】[0009]  図４は、可撓性ペールの前面図である。
【図５】[0010]  図５は、可撓性ペールの側面図である。
【図６】[0011]  図６は、コンパクトな、圧縮構成の可撓性ペールの上面斜視図である。
【図７】[0012]  図７は、可撓性ペールの上面図である。
【図８】[0013]  図８は、可撓性ペールの底面図である。
【図９】[0014]  図９は、閉構成の可撓性ペールの図１のＡ−Ａに沿った部分断面図である。
【図９Ａ】[0015]  図９Ａは、カバーリップのない可撓性ペールの部分断面図である。
【図９Ｂ】[0016]  図９Ｂは、カバーリップのない可撓性ペールの第２の構成の部分断面図である。
【図１０】[0017]  図１０は、開構成の可撓性ペールの図２のＢ−Ｂに沿った部分断面図である。
【図１１】[0018]  図１１は、示したカバーフラップのない可撓性ペールの第２の実施形態の上面斜視図である。
【図１２】[0019]  図１２は、図１１のＣ−Ｃに沿った部分断面図である。
【図１３】[0020]  図１３は、可撓性ペールの第３の実施形態の上部斜視図である。
【図１４】[0021]  図１４は、カバーフラップのない図１３のＤ−Ｄに沿った部分断面図である。
【図１５】[0022]  図１５は、可撓性ペールの第４の実施形態の上部斜視図である。
【図１６】[0023]  図１６は、図１５のＥ−Ｅに沿った部分断面図である。
【図１７】[0024]  図１７は、可撓性ペールの第４の実施形態の分解図である。
【図１８】[0025]  図１８は、可撓性ペールの第５の実施形態の上面図である。
【図１９】[0026]  図１９は、開ポジションの可撓性ペールの第６の実施形態の上部斜視図である。
【図２０】[0027]  図２０は、閉ポジションの図１９の上部斜視図である。
【図２１】[0028]  図２１は、閉ポジションの可撓性ペールの第７の実施形態の上部斜視図である。
【図２２】[0029]  図２２は、開ポジションの図２１の上部斜視図である。
【詳細な説明】
【０００６】
[0030]  図面を参照して、本発明の特定の実施形態をより詳細に説明する。
【０００７】
[0031]  図１は、直立するように適合されている、閉ポジションの可撓性ペール１０を図示している。可撓性ペール１０は、カバー２０、ふたまたは可撓性カバーフラップ４０、コンテナ本体６０、および、（図３中に示すような）ベース８０を有していてもよい。
【０００８】
[0032]  可撓性ペール１０は、スマートで、コンパクトで、軽量であることができる。さらに、可撓性ペール１０は、コストがより低く、使い捨てであることができる。したがって、可撓性ペール１０は、多く異なる状況に対して理想的であるかもしれない。例えば、軽量で持ち運び可能な性質の可撓性ペール１０は、ユーザが可撓性ペールを任意の所定の部屋に置くことを可能にし、同時に、出先でユーザとともに可撓性ペール１０を持ってくる能力をユーザに提供する。他の状況では、親は、伝統的なペールを有していないかもしれない祖父母または世話人に彼らの子供を預けるかもしれない。その後、可撓性ペール１０は、臭気に耐えるおむつペールがないことに世話人が苦しむ必要がないように、可撓性ペールを世話人に持ってくる容易さと値ごろ感を親に提供する。さらに、世話人は、可撓性ペール１０の値ごろ感と使い捨て可能なことにより、可撓性ペール１０を戻す必要がない。
【０００９】
[0033]  図１〜３中にさらに示すように、カバー２０、ふた４０、コンテナ本体６０、および、ベース８０は、排泄物が置かれるチャンバー１２を形成するように、ともに作用する。カバー２０、ふた４０、コンテナ本体６０、および、ベース８０はまた、チャンバーまたは区画１２内からの排泄物の臭気が可撓性ペール１０の外側に達するまたは発することを回避する。これを達成するために、カバー２０は、コンテナ本体６０の第１の上端６２に真空成形または結合されてもよい。同様に、ベース８０も、コンテナ本体６０の第２の下端６４に真空成形されてもよい。
【００１０】
[0034]  カバー２０は、真空成形によって、または、半剛性カバー２０の開発のための製造の他の何らかの適切な方法によって構築されるまたは結合されることができる。さらに、カバー２０は、コンパクトな可撓性ペール１０に圧縮できる、ポリエチレン、プラスチック、ゴム、金属、木材、厚い布、および、これらに類するものを含むがこれらに限定されない、可撓性ペール１０の素材を通して不快な臭いの臭気ガスが漏れることを回避する任意の適切な素材で構築されることができる。
【００１１】
[0035]  図１〜３、および、９〜１０中に示すように、カバー２０は、カバーリップ２２を有していてもよい。カバーリップ２２は、カバー２０の末端に配置され、コンテナ本体６０の第１の上端６２にカバー２０を取り付けるために使用できる。カバーリップ２２は、上向きで、コンテナ本体６０から離れて示されているが、一般的に下向きで、コンテナ本体６０向きまたはコンテナ本体６０中に取り付ける際にカバー２０を支持する他の何らかの適切な向きであってもよいことが理解されるだろう。
【００１２】
[0036]  上記で説明したように、半剛性カバー２０は、コンテナ本体６０の第１の上端６２に取り付けられている。これは、カバーリップ２２を使用することにより、および、カバーリップ２２と第２の上端６２との間に熱密封プロセスを適用することにより達成できる。しかしながら、接着剤、結合剤、素材溶剤、および／または、カバー２０をコンテナ本体６０の上端に取り付けるための他の何らかの適切な方法に限定されないが、これらのようなさまざまな多様な方法で、半剛性カバー２０は、コンテナ本体６０の上端６２に締結されてもよいことが理解されるだろう。
【００１３】
[0037]  図９Ａ〜９Ｂは、カバー２０がカバーリップ２２をコンテナ本体６０の第１の上端６２に取り付ける必要がないことを企図している。示しているように、コンテナ本体６０の第１の上端６２は、カバー２０の下（図９Ａ）またはその上（図９Ｂ）に位置してもよく、カバー２０の末端に結合されてもよい。図９Ｂは、第１の上端６２は、穴１６を通してタブ１４が位置できる、穴１６を有していてもよいことさらに企図している。カバーリップ２２の除去は、可撓性ペール１０をより小さなユニットに圧縮することを可能にする。両方の事例では、コンテナ本体の第１の上端６２は、複数の内側に面するタブに形成されてもよく、これらは、オーバーラップすることなく内側に折りたたまれてもよく、カバー２０に直接結合されてもよい。
【００１４】
[0038]  図１〜３および９〜１０は、ユーザがより容易にふた４０を移動することを可能にする指用凹部２４をさらに有していてもよいカバー２０を図示している。同様に、ユーザがカバー２０からふた４０を容易に移動することを可能にするように、複数の指用凹部２４をカバー２０上に設計できる。ユーザがカバー２０からふた４０を容易に移動することを可能にするように、任意の適切な形状、サイズ、および／または、方向に指用凹部２４を並べ、位置付けることができることが理解される。
【００１５】
[0039]  図１〜３および９〜１０は、カバー２０の表面の上にわずかに高めるまたは高くしてもよいカバーバンプまたは突起２６をさらに有していてもよいカバー２０を示している。カバー突起２６は、指用凹部２４と類似した機能を提供する。言い換えると、カバー突起２６は、フラップをカバー２０の上にわずかに上げることにより、カバー２０からフラップ４０を移動する際にユーザを支援する。カバー突起２６は、指用凹部２４内に配置して示されているが、ユーザが容易にフラップ４０をつかみ、カバー２０からフラップ４０を移動することを可能にするように、カバー２０の任意の適切な面に配置されてもよいことが理解される。同様に、突起２６は、ユーザが容易にカバー２０からフラップ４０を移動することを可能にする任意の適切な形状、サイズ、および／または、方向のものであってもよい。
【００１６】
[0040]  図２〜３および９〜１０は、その中に排泄物を収容に適合されている開口２８を有する半剛性カバー２０を示している。開口２８は、開口２８を通して移動する排泄物または他の素材が可撓性ペール１０の外側から可撓性ペール１０の内側の内部保管区画１２に移動するように、カバー２０の中央に位置付けられてもよい。より具体的には、開口２８を通して移動する素材は、チャンバー１２中に置かれてもよい。
【００１７】
[0041]  図２〜３および９〜１０は、臭気を区画１２内に保つことを手助けするための防壁３０を含むように、および、臭気が可撓性ペール１０の外側に達することを回避するように開口２８が構成されてもよいことを証明している。防壁は、カバー２０と類似した素材、または、異なる可撓性のレベルの異なる素材でできてもよい。
【００１８】
[0042]  防壁３０は、第１のポジションにおいて、より小さな開口２８ａを形成するように開口２８の総開エリアを制限するフィンガまたは複数のフィンガ３４を有していてもよく、フィンガ３４を通して、素材または悪臭が通過してもよい。複数のフィンガ３４は、開口２８の縁２９から開口２８のほぼ中心におけるより小さな開口２８ａへと径方向に内側に伸長する。
【００１９】
[0043]  図１０は、防壁３０の防壁凹部３２の付加を示している。この防壁凹部３２は、防壁３０のさらなる可撓性を可能にし、ユーザは、より容易に防壁３０を通して押し、排泄物を区画１２に置くことができる。防壁凹部３２は、防壁３０の複数のフィンガ３４上に配置されてもよい。防壁凹部３２は、防壁３０のフィンガ３４に強度と可撓性を付加する。防壁凹部３２または湾曲部は、防壁３０にわたってフィンガ３４が弾性的な反復使用に耐えることを可能にする。防壁凹部３２はまた、ばねとしても機能してもよく、各使用の後に、その最初の閉ポジションで直立するように防壁フィンガ３４を付勢する。
【００２０】
[0044]  図１〜３および６〜７は、カバーフラップ４０が取り付けられているカバー２０を企図している。フラップ４０は、カバー２０中の開口２８にわたって枢動可能に取り付けられてもよい。より具体的には、フラップ４０は、カバー２０に取り付けられているベース４２を有していてもよい。
【００２１】
[0045]  半剛性カバー２０上の可撓性カバーフラップ４０は、使用しないとき、開口にわたって閉じるように適合されてもよい。可撓性フラップ４０は、さらに、閉じた、密封したポジションの開口２８から漏れる排泄物からの臭気を密封するように適合されている、再密封可能な接着剤を有していてもよい。再密封可能な接着剤は、フラップ４０が、閉ポジションと開ポジションとの間で枢動することを可能にする。再密封可能な接着剤を用いて説明したが、この開示にしたがって、カバー２０、フラップ４０、開口２８とフラップ４０とを通して漏れる悪臭を密封するためにさまざまな他の適切な方法が提供されてもよいことを理解すべきである。
【００２２】
[0046]  カバーフラップ４０の動作は、片手動作によって行われてもよい。使用する際、カバーフラップ４０は、開口２８から引き離され、廃棄アイテムが開口２８を通して置かれる。カバーフラップ４０は、開口２８を通して廃棄アイテムを挿入することを柔軟に可能にしてもよい。ユーザは、開口２８にわたって配置されているカバーフラップ４０を手で動かしてもよい。その後、カバーフラップ４０が閉じられ、カバーフラップ４０とカバー２０との間に位置付けられている接着剤は、カバーフラップ４０とカバー２０を互いに密封し、可撓性ペール１０の区画内から漏れる不快な臭気を回避するための空気の通らない密封を形成する。
【００２３】
[0047]  フラップ４０の開閉を促進するために、フラップ４０は、フラップ４０による遮断なく、ユーザによってアイテムを開口２８に挿入できるように、開ポジションでそれ自体を保持することが可能であるヒンジ４４も有していてもよい。可撓性カバーフラップ４０は、開口２８の片側を枢動する。しかしながら、互いをカバーし、各フラップが開口２８の異なる側を枢動する複数のフラップ４０のような、さまざまな異なる方法でフラップ４０を構築できることを理解すべきである。
【００２４】
[0048]  図２〜３に戻って参照すると、ヒンジ４４は、フラップが枢動する軸を提供する。軸に沿って、フラップ４０はさらに、ヒンジアパーチャ４８を有していてもよく、これは、フラップ４０のより広い可撓性を可能にする。さらに、アパーチャ４８は、フラップベース４２に対するより広い表面エリアをカバー２０に取り付けること可能にする。アパーチャ４８中の素材の欠如により、フラップ４０は、その後、開ポジションと閉ポジションとの間でより容易に枢動してもよい。示していないが、より薄い部分が枢動運動のための類似した容易さを達成できることがさらに企図されている。
【００２５】
[0049]  図２および１０は、可撓性カバーフラップ４０のヒンジ４４が、幾何学的突起または脚４６を形成するように切断されてもよいことを示しており、幾何学的突起または脚４６は、開ポジションのままであるように可撓性カバーフラップ４０に対する支持を提供する。可撓性カバーフラップ４０が開かれるとき、幾何学的突起４６は、前方に動き、カバー２０の最上面に付勢し、可撓性カバーフラップ４０を空いたままにすることを可能にする。開ポジションは、その後、カバーフラップ４０による遮断なく、ユーザがアイテムを開口２８に挿入することを可能にする。
【００２６】
[0050]  ユーザが、可撓性カバーフラップ４０を閉じることを所望するとき、幾何学的突起４６がカバー２０に対してスライドするように十分な閉力がカバーフラップ４０に適用されるまで、幾何学的突起４６は、カバー２０の最上面に対して加圧される脚として機能して前方に動き、脚４６を解放するように後方に動き、カバーフラップ４０が図１と９の閉ポジションに枢動することを可能にする。
【００２７】
[0051]  フラップ４０の開閉をさらに支援するために、可撓性フラップ４０は、ユーザが可撓性カバーフラップ４０を容易に開閉することを可能にするプルタブ５０を有していてもよい。より具体的には、タブ５０は、カバーフラップ４０中に構築され、カバー２０から離れてカバーフラップを引っ張る際に支援し、開口２８へのアクセスを可能にする。タブ５０は、図９〜１０中に示すように、そこへの容易なアクセスのために、上方に曲げられてもよい。
【００２８】
[0052]  図１〜３と６は、コンテナ本体６０の上端６２に取り付けられているカバー２０を示している。コンテナ本体６０は、一般的に円柱形状を有する可撓性シートでできている。コンテナの可撓性シートは、直立ポジションに伸張し（図1〜３）、および／または、保管のために平らに圧縮される（図６）ことができる半剛性素材からなってもよい。例えば、可撓性ペール１０は、おおよそ３．１７５ｍｍ（１／８インチ）未満の高さに圧縮、または、４５７．２ｍｍ（１８インチ）以上の高さに完全に伸張できる。可撓性ペール１０の最大高は、区画１２中にどのくらいの排泄物を置くことを望むかによって選ぶことができる。例えば、おおよそ４５７．２ｍｍ（１８インチ）の高さは、おおよそ３０個の使用済の新生児のおむつを収容できる。高さ範囲は、短くて１日または長くて１週間の間、可撓性ペール１０を使用する柔軟性をユーザに提供する。言い換えると、可撓性ペール１０の高さの範囲は、適合可能な区画１２を提供し、その容積は、高さ範囲で異なる。容積または適合可能な区画１２の変化は、区画が満杯になるまでユーザが望むのと同じくらい多いまたは少ない排泄物を収容することが可能である。
【００２９】
[0053]  コンテナ本体６０を生産するために、さまざまな素材を、本主題開示にしたがって選択してもよい。半剛性素材は、使用および保管の間、可撓性ペール１０を直立の向きで保持するために、十分な剛性を提供するように使用されてもよい。選択される素材はまた、臭気耐性であってもよい。脱臭剤は、悪臭が可撓性ペール１０内から発せられることを回避するために、本主題の開示に組み込まれてもよい。
【００３０】
[0054]  図３〜４は、コンテナ本体６０の長さの一部分または全体に沿った、コンテナ本体６０中の透明線６６を図示している。透明線６６は、すでに使用した空間の量および中に残っている容量をユーザが見る、および／または、計画することを可能にする。
【００３１】
[0055]  コンテナ本体６０は、さまざまな異なる形状をとってもよい。ここでの実施形態は、円柱形であるが、コンテナ本体は、直角プリズムまたは任意の鈍角形状のような、任意の適切な形状をとることができる。したがって、半剛性カバー２０とベース８０は、相補的な形状を有していてもよい。
【００３２】
[0056]  図３と８は、ベース８０がコンテナ本体６０の下端６４に取り付けられていることを示している。カバー２０の、コンテナ本体６０の上端６２への取り付けのように、取り付けの同じ方法が、コンテナ本体６０の半剛性ベース８０と下端６４に対して可能である。すなわち、ベース８０は、類似したベースリップ８２を有していてもよい。上記で議論した類似した加熱密封プロセスは、ベースリップ８２と第２の下端６４との間で適用されてもよい。しかしながら、ベース８０は、接着剤、結合剤、素材溶剤、および／または、カバー２０を可撓性シートの上端に取り付けるための他の何らかの適切な方法に限定されないが、これらのようなさまざまな方法でコンテナ本体６０の下端６４に締結されてもよいことを理解すべきである。
【００３３】
[0057]  カバー２０同様、ベース８０は、第２の下端６４に結合されるベースリップ８２を有する必要はない。コンテナ本体６０の第２の下端６４が、ベース８０に直接結合されてもよいことが企図される。コンテナ本体６０の第２の下端６４は、複数の内側に面するタブに形成されてもよく、これらは、重複することなく内側に折り畳まれてもよく、ベース８０に直接結合されてもよい。ベースリップ８２の除去は、可撓性ペール１０をより小さなユニットに圧縮することを可能にする。
【００３４】
[0058]  可撓性ペール１０へのさらなる付加もここで開示する。例えば、可撓性ペール１０は、つるすためにそこに配置されているループまたはタブ１４も有していてもよい。図６〜１２中で示すように、ループまたはタブ１４は、カバー２０に沿って成形されてもよい。しかしながら、ループ１４は、可撓性ペール１０をつるすためのロケーションを提供するように、可撓性ペール１０のどこにでも取り付けられてもよいことを理解すべきである。例えば、ループ１４は、コンテナ本体６０中に構築されてもよい。最終的に、ループ１４は、便利なロケーションで可撓性ペール１０をつるす能力をユーザに提供する。同様に、可撓性ペールを１つのロケーションから別のロケーションに運ぶとき、ループまたはタブ１４は、取っ手として使用されてもよい。複数のループまたはタブ１４は、取っ手および／またはつるしポイントとして提供されることも企図される。示していないが、フックは、ループまたはタブ１４に対する類似の機能を満たしてもよい。
【００３５】
[0059]  可撓性ペール１０がタブ１４を有するとき、タブ１４は、より良いグリップのために、付加的な接触面を提供するための凹部または溝１５を有していてもよい。凹部１５の使用はまた、その中に適合してもよい広いフックに対する保持ポイントを兼ねてもよい。
【００３６】
[0060]  図１１〜１２は、防壁３０が開始する開口２８の縁２９に配置されている防壁肩１３２を企図している。防壁肩１３２は、同様に防壁３０の付加的な可撓性を提供し、ユーザは、防壁３０を通してより容易に押し、排泄物を区画１２に置くことができる。防壁肩１３２におけるステップは、防壁３０の強度を増大させ、防壁フィンガ３４の反復運動による防壁３０の劣化を回避する。
【００３７】
[0061]  図１３〜１４は、可撓性ペール１０が防壁３０を有する必要がないことを証明している。要素を除去することにより、可撓性ペール１０は、より大きな開口２８を有し、これは、そこに排泄物を置くためのより容易なアクセスを提供する。
【００３８】
[0062]  図１３〜１４は、ベース拡張４２ａを有する開口２８をカバーするフラップ４０をさらに企図している。ベース拡張４２ａは、カバー２０を結合するためのフラップベース４０に対して付加的な表面エリアを提供することにより、カバーフラップ４０が剥離することの回避を手助けする。
【００３９】
[0063]  図１５〜１６は、凹部３２または肩１３２がない防壁３０を有する可撓性ペール１０を示している。その欠如は、より高い剛性を可撓性ペール１０の防壁３０に提供し、これはまた、フィンガ３４がたるむまたは垂れ下がる可能性を下げることにより、可撓性ペール１０を向上させる。さらに、増加した剛性は、防壁３０への不要なまたは偶発アクセスが、フィンガ３４を押圧し、それを通して臭気を解放することを回避するだろう。
【００４０】
[0064]  図１７は、本主題の開示にしたがう矩形可撓性ペール１１０を示している。矩形形状は、より広い容積と可撓性ペール１０の直立を保持するための広いベースとを促進する。さらに、この形状は、縁１１３を生成するために異なるパネル１１２、１１４をともに融合させることにより、矩形可撓性ペール１１０が直立することを可能にするさらなる支持を提供してもよく、これは、矩形可撓性ペール１１０の全体の形状に耐え、支持できる。しかしながら、可撓性ペール１０、１１０は、素材を内部に保持する課題を達成する任意の形状またはサイズをとってもよいことが理解されるだろう。例えば、上記で開示したような一般的な円柱形状も、素材を内部に保持できる。同様に、一般的な円柱形状は、素材を内部に保持することに加えて、直立することができる。なぜなら、可撓性ペールの下方重量は、円柱形上の側面にわたって均一に分散されるからである。
【００４１】
[0065]  図１８は、カバー２０に取り付けられている、拡張ベース１４２においてヒンジ連結された可撓性カバーフラップ４０の別の実施形態を有する矩形可撓性ペール１１０を示している。可撓性カバーフラップ４０は、そこに結合させるために結合剤に対する付加的な表面エリアを提供することによって、カバーフラップが剥離することを回避する拡張ベース１４２を有していてもよい。また、カバーフラップを固定する方法を提供することを手助けする透明の再密封可能な接着シート１４１があってもよい。ヒンジは、カバーフラップが開いたままにできるように、幾何学的ダイカット１４４も有していてもよい。透明接着シート１４１がヒンジ４４をブロックすること、または、その逆をすることを回避するために、幾何学的ダイカット１４４に透明接着剤１４１も添加してもよい。可撓性カバーフラップ４０はまた、ユーザがカバーフラップを容易に開閉するためのタブ１５０も有していてもよい。
【００４２】
[0066]  図１９〜２０は、カバー２０とコンテナ本体６０とを有する可撓性ペール２１０を証明している。カバー２０は、そこに取り付けられているフラップ４０を有する。可撓性ペール２１０は、可撓性ペール２１０をより軽くすることを可能にする、図３中に構築されている可撓性ペール１０のような別々のベースを有さない。別々に構築されたベースはないが、可撓性ペール２１０は、コンテナ本体６０に対して使用される素材の剛性特性により立つことができてもよい。上記で開示した可撓性ペール１０と類似して、可撓性ペール２１０は、可撓性ペール１０がフックまたは他の類似した構造を捕える能力を提供する、ループ１４を有していてもよい。ベースは、コンテナ本体６０と一体化されていることから、可撓性ペール２１０は、立つ代わりにつるすために、ループ１４に依存することがより多いかもしれない。可撓性ペール２１０は、つるすことと立つことの両方が可能であってもよい。
【００４３】
[0067]  図２１〜２２は、上部開口３６２と閉じた下部端３６４とによる、単一の統合形状を有する可撓性ペール３１０を図示している。上部開口３６２は、封３４０のようなさまざまな異なる方法で密封可能であってもよい。封３４０は、閉じた開口をロックし、密封するために、ともに加圧されることができる開口３２８に沿って、２部ストライプ３４４として組み込まれてもよい。２部ストライプは、２本のストライプ３４４ａ、３４４ｂ２、および、ともに加圧されるとき、空気を通さない密封を形成する密封デバイダ３４２を含んでいる。同様に、密封デバイダ３４２は、２本のストライプ３４４ａ、３４４ｂの最上部に沿って配置されている溝と隆起をかみ合わせ、互いから２つの部分を引き離すための十分な力により、２本のストライプ３４４ａ、３４４ｂを分離することもできる。
【００４４】
[0068]  使用する際、可撓性ペール３１０が開かれ、開口３２８を通して区画１２内に配置される排泄物が置かれる。その後、かみ合わせた溝と隆起を相互接続させ、空気を通さない密封を形成させるように、２部ストリップ３４４はともに加圧される。本開示にしたがって、可撓性ペールの上端を密閉するために、さまざまな他の適切な方が提供されてもよいことを理解すべきである。
【００４５】
[0069]  ここで提供した図および例は、説明目的のためであり、添付の特許請求の範囲を限定することを意図してはいない。本発明の広い発明の概念から逸脱することなく、上記で説明した実施形態に変更または修正をすることができることが、当業者によって認識されるだろう。したがって、本発明は、説明した特定の実施形態に限定されないが、本発明の範囲および精神内のすべての修正および変更をカバーするように意図されていることが理解される。
【図１】
2021506347.tif 000003
【図２】
2021506347.tif 000004
【図３】
2021506347.tif 000005
【図４】
2021506347.tif 000006
【図５】
2021506347.tif 000007
【図６】
2021506347.tif 000008
【図７】
2021506347.tif 000009
【図８】
2021506347.tif 000010
【図９】
2021506347.tif 000011
【図９Ａ】
2021506347.tif 000012
【図９Ｂ】
2021506347.tif 000013
【図１０】
2021506347.tif 000014
【図１１】
2021506347.tif 000015
【図１２】
2021506347.tif 000016
【図１３】
2021506347.tif 000017
【図１４】
2021506347.tif 000018
【図１５】
2021506347.tif 000019
【図１６】
2021506347.tif 000020
【図１７】
2021506347.tif 000021
【図１８】
2021506347.tif 000022
【図１９】
2021506347.tif 000023
【図２０】
2021506347.tif 000024
【図２１】
2021506347.tif 000025
【図２２】
2021506347.tif 000026
【国際調査報告】
2021506347.tif 000027